(57)【要約】【課題】小児が製品を誤飲することを防止する機能を持つブリスター容器を提供する。【解決手段】容器１は、２つ以上の膨出部２１を形成された第１シート材２０と、第１シート材と接合された第２シート材３０と、を含む積層体１０を備える。隣り合う２つの膨出部の間となる位置を延びる折り目形成手段４０が形成された部分を含む第１シート材の部分と第２シート材とが対面している領域が、未接合領域Ｂとして形成されている。第２シート材の未接合領域に位置する部分のうち、折り目形成手段に対して第１方向における一方の側及び他方の側となる領域に、それぞれ、一側浮出部７０の輪郭を規定する一側カットライン６０、及び、他側浮出部９０の輪郭を規定する他側カットライン８０が形成されている。折り目形成手段に沿って第１シート材を折り曲げると、一側浮出部及び他側浮出部が第１シート材から浮き上がる。【選択図】図１
2015134619.tif 000002
【特許請求の範囲】
【請求項１】
第１方向に沿って離間して形成された少なくとも２つの膨出部を有する第１シート材と、
前記第１シート材と接合されて前記第１シート材の前記膨出部との間に収容空間を形成する第２シート材と、を含む積層体を備え、
前記第１シート材に、前記第１方向において隣り合う２つの膨出部の間となる位置を延びる折り目形成手段が形成され、
前記折り目形成手段が形成された部分を含み前記第１方向において隣り合う２つの膨出部の間となる前記第１シート材の部分と、前記第２シート材と、が対面している中間領域の少なくとも一部は、前記第１シート材と前記第２シート材とが接合されていない未接合領域を含み、
前記第２シート材の前記未接合領域に位置する部分のうち、前記折り目形成手段に対して前記第１方向における一方の側となる領域に、一側浮出部の輪郭を規定する一側カットラインが形成され、
前記第２シート材の前記未接合領域に位置する部分のうち、前記折り目形成手段に対して前記第１方向における他方の側となる領域に、他側浮出部の輪郭を規定する他側カットラインが形成され、
前記折り目形成手段に沿って前記第１シート材を折り曲げると、前記一側浮出部及び前記他側浮出部が前記第１シート材から浮き上がるようになっている、ブリスター容器。
【請求項２】
前記一側カットラインは、前記第１方向における一方の側に凸となるように湾曲しており、
前記他側カットラインは、前記第１方向における他方の側に凸となるように湾曲している、請求項１に記載のブリスター容器。
【請求項３】
前記一側カットラインと前記他側カットラインとは、前記第１方向ｄ１に直交する第２方向ｄ２にずれて配置されている、請求項１または２に記載のブリスター容器。
【請求項４】
前記一側カットラインの一端部と、前記他側カットラインの一端部とは、互いから離間し、且つ、前記折り目形成手段を挟んで対面している、請求項１乃至３のいずれか一項に記載のブリスター容器。
【請求項５】
前記第２シート材のうちの前記折り目形成手段に対して前記第１方向における他方の側となる部分に、第１ガイドカットラインが形成され、
前記第１ガイドカットラインの一端部と、前記一側カットラインの一端部とは、互いから離間し、且つ、前記折り目形成手段を挟んで対面し、
前記第１ガイドカットラインの他端部は、前記未接合領域よりも前記第１方向における他方の側となる位置に位置しており、
前記第２シート材のうちの前記折り目形成手段に対して前記第１方向における一方の側となる部分に、第２ガイドカットラインが形成され、
前記第２ガイドカットラインの一端部と、前記他側カットラインの一端部とは、互いから離間し、且つ、前記折り目形成手段を挟んで対面し、
前記第２ガイドカットラインの他端部は、前記未接合領域よりも前記第１方向における一方の側となる位置に位置している、請求項１乃至３のいずれか一項に記載のブリスター容器。
【請求項６】
前記第１ガイドカットライン上の各位置と前記折り目形成手段との前記第１方向に沿った距離が、当該第１ガイドカットライン上の位置が前記第１方向に直交する第２方向に沿って前記一側カットラインから離間するほど、大きくなっていき、
前記第２ガイドカットライン上の各位置と前記折り目形成手段との前記第１方向に沿った距離が、当該第２ガイドカットライン上の位置が前記第２方向に沿って前記他側カットラインから離間するほど、大きくなっていく、請求項５に記載のブリスター容器。
【請求項７】
前記一側カットラインと前記他側カットラインとは、前記第１方向に直交する第２方向にずれて配置されており、
前記第２方向において前記一側カットラインと前記他側カットラインとの間となる位置に、前記未接合領域に囲まれたポイント接合領域が設けられ、
前記ポイント接合領域において、前記第１シート材と前記第２シート材とが接合されている、請求項５または６に記載のブリスター容器。
【請求項８】
前記中間領域は、前記未接合領域と前記ポイント接合領域とのみからなる、請求項７に記載のブリスター容器。
【請求項９】
前記一側カットラインの他端部は、前記第１方向に直交する第２方向に対向して位置する前記積層体の一対の縁部の一方との間に間隙を形成し、
前記他側カットラインの他端部は、前記一対の縁部の他方との間に間隙を形成している、請求項４乃至８のいずれか一項に記載のブリスター容器。
【請求項１０】
前記一側カットラインは、互いに離間して配置された一側第１部分及び一側第２部分を含み、
前記一側第１部分の一端部と前記一側第２部分の一端部との間に、前記一側浮出部を当該一側浮出部の周りに位置する第２シート材の部分に繋ぐ一側継ぎ目が設けられ、
前記第１シート材のうち少なくとも前記一側継ぎ目に対面する部分に、当該一側継ぎ目から離間するように凹んだ一側逃げ膨出部が形成されている、請求項１乃至９のいずれか一項に記載のブリスター容器。
【請求項１１】
前記他側カットラインは、互いに離間して配置された他側第１部分及び他側第２部分を含み、
前記他側第１部分の一端部と前記他側第２部分の一端部との間に、前記他側浮出部を当該他側浮出部の周りに位置する第２シート材の部分に繋ぐ他側継ぎ目が設けられ、
前記第１シート材のうち少なくとも前記他側継ぎ目に対面する部分に、当該他側継ぎ目から離間するように凹んだ他側逃げ膨出部が形成されている、請求項１乃至１０のいずれか一項に記載のブリスター容器。
【請求項１２】
前記折り目形成手段は、前記第１方向に直交する第２方向に対向して位置する前記積層体の縁部上の２つの位置の間を延びている、請求項１乃至１１のいずれか一項に記載のブリスター容器。
【請求項１３】
前記第１方向に直交する第２方向に複数の積層体が配置され、
前記第２方向に隣り合う２つの積層体は、切断補助手段を介し、当該切断補助手段に沿って切り離し可能となるように接続されている、請求項１乃至１２のいずれか一項に記載のブリスター容器。
【請求項１４】
前記折り目形成手段の一端部を含む前記積層体の縁部に、切断補助手段を介して接続された折れ防止片をさらに備える、請求項１３に記載のブリスター容器。
【発明の詳細な説明】
【技術分野】
【０００１】
本発明は、ブリスター容器に係り、とりわけ、小児が製品を誤飲することを防止する機能を持つブリスター容器に関する。
【背景技術】
【０００２】
商品を収容するための容器として、ブリスター容器が知られている。ブリスター容器は、膨出部が形成された容器シート材と、容器シート材と接合されて、容器シート材の膨出部との間に製品を収容するための収容空間を形成する蓋材と、を備えている。
【０００３】
典型的なブリスター容器として、プレススルーパック（ＰＴＰ）タイプのもの（例えば、特許文献１を参照）やピール開封タイプのものが利用されている。このうち、前者のＰＴＰタイプの容器では、膨出部を押圧して、収容空間に収容された製品で蓋材を突き破ることにより、当該製品を取り出すことができる。
【０００４】
一方、後者のピール開封タイプの容器では、蓋材を容器シート材から剥がすことにより、収容空間に収容された製品を取り出すことができる。ピール開封タイプの容器は、容器を開封する際に製品を押し潰すおそれがないため、口腔内崩壊錠（ＯＤ錠）のような割れ易い医薬品や崩れやすい医薬品等を収容するのに適している。
【先行技術文献】
【特許文献】
【０００５】
【特許文献１】特許第４１５４６０３号
【発明の概要】
【発明が解決しようとする課題】
【０００６】
昨今では、ブリスター容器内に収容された製品を小児が誤って口にする誤飲事例が指摘されている。とりわけ、ピール開封タイプの容器に収容され得る口腔内崩壊錠（ＯＤ錠）は、唾液によって口腔内（舌下、舌上）で溶ける性質をもつため、飲みやすい味になっていることが多い。このため、口腔内崩壊錠（ＯＤ錠）は、小児が好んで口にする危険性をはらんでいる。このため、ピール開封タイプのブリスター容器において、小児が製品を誤飲することを防止する機能が求められている。
【０００７】
本発明は、このような点を鑑みてなされたものであって、製品を押し潰すことなく取り出すことができるピール開封タイプのブリスター容器であって、小児が製品を誤飲することを防止する機能を持ち実用に耐え得るブリスター容器を提供することを目的とする。
【０００８】
なお、特許文献１に記載されているように、ＰＴＰタイプの容器では、小児が医薬品を誤飲することを防止する機能をもつ容器も実用化されている。特許文献１に記載のＰＴＰタイプの容器では、容器シート材の膨出部を覆う蓋材の部分に、開封防止のための保護フィルムを積層している。しかしながら、特許文献１に記載のＰＴＰタイプの容器では、蓋材に保護フィルムをさらに積層するため、材料コスト及び製造コストが高くなり、市場において競争力のある価格で提供することができない。さらに、高齢者のように指先に力が入らない方やリウマチの患者のように手先の不自由な方の中には、保護フィルムを剥がすことや、膨出部を押圧して収容空間に収容された製品で蓋材を突き破ることができない者もいる。かかる場合、収容された医薬品を取り出すために、専用のプレス器具を使用する必要があり煩わしい。この点、指先に力が入らない方や手先の不自由な方でも、専用のプレス器具を使用することなくブリスター容器に収容された製品を取り出すことができればさらに都合がよい。
【課題を解決するための手段】
【０００９】
本発明によるブリスター容器は、第１方向に沿って離間して形成された少なくとも２つの膨出部を有する第１シート材と、
前記第１シート材と接合されて前記第１シート材の前記膨出部との間に収容空間を形成する第２シート材と、を含む積層体を備え、
前記第１シート材に、前記第１方向において隣り合う２つの膨出部の間となる位置を延びる折り目形成手段が形成され、
前記折り目形成手段が形成された部分を含み前記第１方向において隣り合う２つの膨出部の間となる前記第１シート材の部分と、前記第２シート材と、が対面している中間領域の少なくとも一部は、前記第１シート材と前記第２シート材とが接合されていない未接合領域を含み、
前記第２シート材の前記未接合領域に位置する部分のうち、前記折り目形成手段に対して前記第１方向における一方の側となる領域に、一側浮出部の輪郭を規定する一側カットラインが形成され、
前記第２シート材の前記未接合領域に位置する部分のうち、前記折り目形成手段に対して前記第１方向における他方の側となる領域に、他側浮出部の輪郭を規定する他側カットラインが形成され、
前記折り目形成手段に沿って前記第１シート材を折り曲げると、前記一側浮出部及び前記他側浮出部が前記第１シート材から浮き上がるようになっている。
【００１０】
本発明によるブリスター容器において、前記一側カットラインは、前記第１方向における一方の側に凸となるように湾曲しており、
前記他側カットラインは、前記第１方向における他方の側に凸となるように湾曲していてもよい。
【００１１】
本発明によるブリスター容器において、前記一側カットラインと前記他側カットラインとは、前記第１方向ｄ１に直交する第２方向ｄ２にずれて配置されていてもよい。
【００１２】
本発明によるブリスター容器において、前記一側カットラインの一端部と、前記他側カットラインの一端部とは、互いから離間し、且つ、前記折り目形成手段を挟んで対面していてもよい。
【００１３】
本発明によるブリスター容器において、前記第２シート材のうちの前記折り目形成手段に対して前記第１方向における他方の側となる部分に、第１ガイドカットラインが形成され、
前記第１ガイドカットラインの一端部と、前記一側カットラインの一端部とは、互いから離間し、且つ、前記折り目形成手段を挟んで対面し、
前記第１ガイドカットラインの他端部は、前記未接合領域よりも前記第１方向における他方の側となる位置に位置しており、
前記第２シート材のうちの前記折り目形成手段に対して前記第１方向における一方の側となる部分に、第２ガイドカットラインが形成され、
前記第２ガイドカットラインの一端部と、前記他側カットラインの一端部とは、互いから離間し、且つ、前記折り目形成手段を挟んで対面し、
前記第２ガイドカットラインの他端部は、前記未接合領域よりも前記第１方向における一方の側となる位置に位置していてもよい。
【００１４】
本発明によるブリスター容器において、前記第１ガイドカットライン上の各位置と前記折り目形成手段との前記第１方向に沿った距離が、当該第１ガイドカットライン上の位置が前記第１方向に直交する第２方向に沿って前記一側カットラインから離間するほど、大きくなっていき、
前記第２ガイドカットライン上の各位置と前記折り目形成手段との前記第１方向に沿った距離が、当該第２ガイドカットライン上の位置が前記第２方向に沿って前記他側カットラインから離間するほど、大きくなっていってもよい。
【００１５】
本発明によるブリスター容器において、前記一側カットラインと前記他側カットラインとは、前記第１方向に直交する第２方向にずれて配置されており、
前記第２方向において前記一側カットラインと前記他側カットラインとの間となる位置に、前記未接合領域に囲まれたポイント接合領域が設けられ、
前記ポイント接合領域において、前記第１シート材と前記第２シート材とが接合されていてもよい。
【００１６】
本発明によるブリスター容器において、前記中間領域は、前記未接合領域と前記ポイント接合領域とのみからなってもよい。
【００１７】
本発明によるブリスター容器において、前記一側カットラインの他端部は、前記第１方向に直交する第２方向に対向して位置する前記積層体の一対の縁部の一方との間に間隙を形成し、
前記他側カットラインの他端部は、前記一対の縁部の他方との間に間隙を形成していてもよい。
【００１８】
本発明によるブリスター容器において、前記一側カットラインは、互いに離間して配置された一側第１部分及び一側第２部分を含み、
前記一側第１部分の一端部と前記一側第２部分の一端部との間に、前記一側浮出部を当該一側浮出部の周りに位置する第２シート材の部分に繋ぐ一側継ぎ目が設けられ、
前記第１シート材のうち少なくとも前記一側継ぎ目に対面する部分に、当該一側継ぎ目から離間するように凹んだ一側逃げ膨出部が形成されていてもよい。
【００１９】
本発明によるブリスター容器において、前記他側カットラインは、互いに離間して配置された他側第１部分及び他側第２部分を含み、
前記他側第１部分の一端部と前記他側第２部分の一端部との間に、前記他側浮出部を当該他側浮出部の周りに位置する第２シート材の部分に繋ぐ他側継ぎ目が設けられ、
前記第１シート材のうち少なくとも前記他側継ぎ目に対面する部分に、当該他側継ぎ目から離間するように凹んだ他側逃げ膨出部が形成されていてもよい。
【００２０】
本発明によるブリスター容器において、前記折り目形成手段は、前記第１方向に直交する第２方向に対向して位置する前記積層体の縁部上の２つの位置の間を延びていてもよい。
【００２１】
本発明によるブリスター容器において、前記第１方向に直交する第２方向に複数の積層体が配置され、
前記第２方向に隣り合う２つの積層体は、切断補助手段を介し、当該切断補助手段に沿って切り離し可能となるように接続されていてもよい。
【００２２】
本発明によるブリスター容器において、前記折り目形成手段の一端部を含む前記積層体の縁部に、切断補助手段を介して接続された折れ防止片をさらに備えてもよい。
【発明の効果】
【００２３】
本発明によれば、小児が製品を誤飲することを防止する機能を持ち実用に耐え得るピール開封タイプのブリスター容器を提供することができる。
【図面の簡単な説明】
【００２４】
【図１】本発明の第１の実施の形態によるブリスター容器を示す上面図である。
【図２】図１に示すブリスター容器の積層体を拡大して示す上面図である。
【図３】図２のIII−III線に沿ったブリスター容器の断面を示す断面図である。
【図４】図１に示すブリスター容器の作用を説明するための図であって、複数の積層体を互いに対して切り離す工程を示す上面図である。
【図５】図１に示すブリスター容器の作用を説明するための図であって、積層体を折り目形成手段から折り曲げる工程を示す斜視図である。
【図６】図１に示すブリスター容器の作用を説明するための図であって、第２シート材の一部を第１シート材から剥離する工程を示す斜視図である。
【図７】図１に示すブリスター容器の変形例を説明するための図であって、積層体に接続された折れ防止片をさらに備える例を示す上面図である。
【図８】図７に示すブリスター容器の作用を説明するための図であって、積層体から折れ防止片を切り離す工程を示す上面図である。
【図９】本発明の第２の実施の形態によるブリスター容器を示す上面図である。
【図１０】図９に示すブリスター容器の積層体を拡大して示す上面図である。
【図１１】図９に示すブリスター容器の作用を説明するための図であって、複数の積層体を互いに対して切り離す工程を示す上面図である。
【図１２】図９に示すブリスター容器の作用を説明するための図であって、積層体を折り目形成手段から折り曲げる工程を示す斜視図である。
【図１３】図９に示すブリスター容器の作用を説明するための図であって、第２シート材の一部を第１シート材から剥離する工程を示す斜視図である。
【図１４】図９に示すブリスター容器の積層体の変形例を示す上面図である。
【図１５】図１４のＸＶ−ＸＶ線に沿ったブリスター容器の断面を示す断面図である。
【発明を実施するための形態】
【００２５】
以下、図面を参照して本発明の実施の形態について説明する。なお、本件明細書に添付する図面においては、図示と理解のしやすさの便宜上、適宜縮尺および縦横の寸法比等を、実物のそれらから変更し誇張してある。
【００２６】
≪第１の実施の形態≫
図１乃至図８は、本発明による第１の実施の形態及びその変形例を説明するための図である。このうち図１は、本発明の第１の実施の形態によるブリスター容器を示す上面図であり、図２は、ブリスター容器の積層体を拡大して示す上面図であり、図３は、図２に示すIII−III線に沿ったブリスター容器の断面を示す断面図である。
【００２７】
なお、以下の説明では、本発明を、医薬品を収容するブリスター容器に適用した例を示している。しかしながら、当然に、本発明は、医薬品を収容するブリスター容器に限定されず、小児が製品を誤飲することを防止する機能を必要とする種々のブリスター容器に適用することができる。
【００２８】
図１乃至図３に示すように、本実施の形態のブリスター容器１は、膨出部２１を形成された第１シート材（容器シート材）２０と、第１シート材２０と接合された第２シート材（蓋材）３０と、を含む複数の積層体１０を備えている。第２シート材３０は、第１シート材２０の膨出部２１を覆って、当該膨出部２１との間に収容空間１１を形成している。この収容空間１１内に、製品が収容されている。収容空間１１に収容される製品としては、医薬品、洗浄剤、入浴剤あるいは害虫等の駆除剤が挙げられる。本実施の形態では、収容空間１１に収容される製品して、錠剤からなる医薬品２が収容されている。
【００２９】
図１及び図２に示すように、各積層体１０は、平面視において、矩形状に形成された外縁部１２を有している。積層体１０の外縁部１２は、積層体１０の面上を延びる第１方向ｄ１に対向して配置された一対の縁部１２ａと、第１方向ｄ１に交差して、とりわけ図示する例では第１方向ｄ１に直交して積層体１０の面上を延びる第２方向ｄ２に対向して配置された一対の縁部１２ｂと、を含んでいる。また、各積層体１０は、第１方向ｄ１に離間して配置された２つの収容空間１１を有している。そして、複数の積層体１０が、第１方向ｄ１に直交する第２方向ｄ２に並べて配置されている。
【００３０】
任意の第２方向ｄ２に隣り合う２つの積層体１０は、第１方向ｄ１に延びる切断補助手段５０を介し、当該切断補助手段５０に沿って切り離し可能となるように接続されている。切断補助手段５０は、隣り合う２つの積層体１０の境界となる位置で、第１方向ｄ１に沿って直線状に延びている。
【００３１】
切断補助手段５０は、当該切断補助手段５０を介して接続された２つの積層体１０を、切断を意図して折り曲げた際に、当該切断補助手段５０を設けられた位置にて２つの積層体１０が切り離されることを促進するためのものである。この切断補助手段５０は、それ自体既知の態様で実現され得る。一例として、切断補助手段５０は、第１シート材２０及び第２シート材３０を貫通するようにして積層体１０に断続的に形成された切れ目からなるミシン目や、第２シート材３０の側から第１シート材２０まで延び入るようにして積層体１０に連続的に形成された溝からなるハーフカットラインであってもよい。
【００３２】
上述したように、各積層体１０は、膨出部２１が形成された第１シート材２０に、第２シート材３０を貼り付けることにより構成されている。本実施の形態では、任意の第２方向ｄ２に隣り合う２つの積層体１０の第１シート材２０は、連続して繋がっており、各積層体１０の第１シート材２０は、単一の第１シートで形成されている。同様に、任意の第２方向ｄ２に隣り合う２つの積層体１０の第２シート材３０も、連続して繋がっており、各積層体１０の第２シート材３０も、単一の第２シートで形成されている。
【００３３】
図１及び図２に示すように、各積層体１０の第１シート材２０は、収容空間１１に対応して、第１方向ｄ１に離間して形成された少なくとも２つの膨出部２１を有している。各膨出部２１は、第１シート材２０の当該膨出部２１以外の部分から、第２シート材３０と反対側に向かって突出している。図示する例では、膨出部２１は、半球状に形成されており、第２シート材３０と反対側に向かって延びている。第１シート材２０が少なくとも２つの膨出部２１を有することにより、医薬品２を服用する際に誤って第１シート材２０ごと飲み込んでしまう誤飲事故を防止することができる。
【００３４】
また、図１及び図２に示すように、各積層体１０の第１シート材２０の膨出部２１が形成されている部分以外の部分に、第１方向ｄ１において隣り合う２つの膨出部２１の間となる位置を延びる折り目形成手段４０が形成されている。この折り目形成手段４０は、積層体１０を折り曲げた際に、当該折り目形成手段４０を設けられた位置にて積層体１０が折り曲げられることを促進するためのものである。折り目形成手段４０は、直線状に形成されていてもよいし、曲線状に形成されていてもよい。なお、折り目形成手段４０は、第２シート材３０には形成されていない。
【００３５】
この折り目形成手段４０は、それ自体既知の態様で実現され得る。図示する例では、折り目形成手段４０は、第１シート材２０を貫通するようにして当該第１シート材２０に断続的に形成された切れ目からなるミシン目にて構成されている。ただし、このような例に限定されず、折り目形成手段４０は、第１シート材２０に連続的に形成された溝からなるハーフカットラインからなってもよい。あるいは、折り目形成手段４０は、第１シート材２０に連続的に形成されたＶ字状の溝からなる熱罫線からなってもよい。ただし、折り目形成手段４０は、いずれの構成からなる場合であっても、第１シート材２０を折り目形成手段４０に沿って折り曲げた際に当該折り目形成手段４０に沿って第１シート材２０が切り離されることがないように、構成されている。
【００３６】
本実施の形態の折り目形成手段４０は、積層体１０の外縁部１２上の２つの位置の間を延びている。より詳細には、折り目形成手段４０は、第２方向ｄ２に対向して位置する積層体１０の縁部１２ｂ上の２つの位置の間を直線状に延びている。
【００３７】
図１に示すように、各積層体１０の折り目形成手段４０の各端部４１、４２は、一直線上に並んでいる。つまり、任意の第２方向ｄ２に隣り合う２つの積層体１０のうち、一方側に位置する積層体１０の折り目形成手段４０の他端部４２は、他方側に位置する積層体１０の折り目形成手段４０の一端部４１に繋がっている。
【００３８】
この折り目形成手段４０が形成された部分を含み第１方向ｄ１において隣り合う２つの膨出部２１の間となる第１シート材２０の部分と、第２シート材３０と、が対面している領域を中間領域Ａと呼ぶ。本実施の形態の中間領域Ａは、第１シート材２０と第２シート材３０とが接合されていない未接合領域Ｂからなる。つまり、折り目形成手段４０は、第２シート材３０と接合されずに重なっている第１シート材２０の部分に形成されている。本実施の形態では、未接合領域Ｂは、第１方向ｄ１において２つの膨出部２１の間となる位置を延びる帯状の領域として形成されている。
【００３９】
一方、中間領域Ａを除く、第１シート材２０と第２シート材３０とが重なった領域は互いに接合されている。言い換えると、第１シート材２０の未接合領域Ｂを形成する部分及び膨出部２１が形成されている部分以外の部分と第２シート材３０とが対面している領域とが、接合されている。
【００４０】
また、図１及び図２に示すように、第２シート材３０の未接合領域Ｂに位置する部分のうち、折り目形成手段４０に対して第１方向ｄ１における一方の側となる領域に、一側カットライン６０が形成され、折り目形成手段４０に対して第１方向ｄ１における他方の側となる領域に、他側カットライン８０が形成されている。一側カットライン６０及び他側カットライン８０は、第２シート材３０に連続的または断続的に形成された切れ目からなる。
【００４１】
図２に示すように、一側カットライン６０及び他側カットライン８０は、曲線状の経路を延びている。具体的には、一側カットライン６０及び他側カットライン８０は、それぞれ、一方の側及び他方の側に凸となるように湾曲している。言い換えると、一側カットライン６０は、当該一側カットライン６０の両端部６１、６２を結ぶ仮想直線に対して一方の側となる領域内を延び、他側カットライン８０は、当該他側カットライン８０の両端部８１、８２を結ぶ仮想直線に対して他方の側となる領域内を延びている。ただし、一側カットライン６０及び他側カットライン８０は、角がなく連続的に曲がった曲線状の経路を延びる例に限られず、その一部が折れ曲がった屈曲した経路を延びてもよい。
【００４２】
図２に示すように、一側カットライン６０と他側カットライン８０とは、第２方向ｄ２にずれて配置されている。言い換えると、一側カットライン６０と他側カットライン８０とは、第２方向ｄ２において重ならない。
【００４３】
また、図２に示すように、一側カットライン６０の一端部６１と他側カットライン８０の一端部８１とは、互いから離間している。言い換えると、一側カットライン６０の一端部６１と他側カットライン８０の一端部８１とは、繋がっていない。また、一側カットライン６０の一端部６１と他側カットライン８０の一端部８１とは、折り目形成手段４０を挟んで第１方向ｄ１に対面している。すなわち、一側カットライン６０の一端部６１は、他側カットライン８０の一端部８１の近傍で、当該一端部８１から離間している。
【００４４】
また、一側カットライン６０の他端部６２は、第２方向ｄ２に対向して位置する積層体１０の一対の縁部１２ｂの一方との間に間隙を形成している。さらに、本実施の形態では、一側カットライン６０の他端部６２は、折り目形成手段４０の一端部４１に向かって延び、且つ、当該一端部４１からも離間している。すなわち、一側カットライン６０の他端部６２は、積層体１０の縁部１２ｂ上に位置する折り目形成手段４０の一端部４１の近傍で、当該一端部４１から離間した位置に位置している。一方、他側カットライン８０の他端部８２は、第２方向ｄ２に対向して位置する積層体１０の一対の縁部１２ｂの他方との間に間隙を形成している。加えて、他側カットライン８０の他端部８２は、折り目形成手段４０の他端部４２に向かって延び、且つ、当該他端部４２からも離間している。すなわち、他側カットライン８０の他端部８２は、積層体１０の縁部１２ｂ上に位置する折り目形成手段４０の他端部４２の近傍で、当該他端部４２から離間した位置に位置している。
【００４５】
ここで、一側カットライン６０及び他側カットライン８０が形成された第２シート材３０を、他側浮出部９０を含み一方の側に位置する膨出部２１を覆う部分３０ａと、一側浮出部７０を含み他方の側に位置する膨出部２１を覆う部分３０ｂと、に区分けする。図２に示すように、一方の側に位置する膨出部２１を覆う部分３０ａと、他方の側に位置する膨出部２１を覆う部分３０ｂとは、一側カットライン６０の一端部６１と他側カットライン８０の一端部８１との間の領域、一側カットライン６０の他端部６２と縁部１２ｂとの間の領域、及び、他側カットライン８０の他端部８２と縁部１２ｂとの間の領域で、互いに接続されている。
【００４６】
このような一側カットライン６０によって、第２シート材３０を第１シート材２０から剥離して他方の側に位置する膨出部２１を露出させる際に起点となる一側浮出部７０の輪郭が規定される。また、他側カットライン８０によって、第２シート材３０を第１シート材２０から剥離して一方の側に位置する膨出部２１を露出させる際に起点となる他側浮出部９０の輪郭が規定される。一側浮出部７０及び他側浮出部９０は、折り目形成手段４０に沿って第１シート材２０を折り曲げると、第１シート材２０から浮き上がるようになっている（図４参照）。
【００４７】
一側浮出部７０は、第２シート材３０のうちの折り目形成手段４０に対して第１方向ｄ１における一方の側となる部分に形成されている。一側浮出部７０は、第１方向ｄ１における他方の側から一方の側に向かって突出した形状を有している。一側浮出部７０の輪郭は、上述のように、一方の側に凸となるように湾曲した一側カットライン６０によって規定されている。本実施の形態では、一側浮出部７０は、未接合領域Ｂに位置している。
【００４８】
同様に、他側浮出部９０は、第２シート材３０のうちの折り目形成手段４０に対して第１方向ｄ１における他方の側となる部分に形成されている。他側浮出部９０は、第１方向ｄ１における一方の側から他方の側に向かって突出した形状を有している。他側浮出部９０の輪郭は、上述のように、他方の側に凸となるように湾曲した他側カットライン８０によって規定されている。本実施の形態では、他側浮出部９０は、未接合領域Ｂに位置している。
【００４９】
折り目形成手段４０に沿って第１シート材２０を折り曲げた際に、一側浮出部７０及び他側浮出部９０を第１シート材２０から安定して浮き上がらせるためには、未接合領域Ｂの幅が４ｍｍ以上あるのが好ましい。また、一側浮出部７０及び他側浮出部９０を指で容易に摘まめる程度に第１シート材２０から浮き上がらせるためには、未接合領域Ｂの幅は、８ｍｍ以上であるのが好ましい。さらに、ブリスター容器１の材料費を考慮すると、未接合領域Ｂの幅は、１５ｍｍ以下であるのが好ましい。
【００５０】
次に、第１シート材２０と第２シート材３０とが積層された積層体１０の層構成について図３を参照して説明する。先ず、第１シート材２０について説明し、その後第２シート材３０について説明する。
【００５１】
第１シート材２０は、単一の樹脂層からなっており、この樹脂層に膨出部２１が成形されている。第１シート材２０をなす樹脂層は、ブリスター容器１に収容される医薬品２を第１シート材２０を介して視認し得るよう、透明性を有していることが好ましい。このような樹脂層として、例えば、ポリプロピレンや塩化ビニルを用いることができる。もっとも、第１シート材２０は、上記の樹脂層に加えてアルミニウム箔層を含んでいてもよい。
【００５２】
一方、第２シート材３０は、図３に示すように、接着層３１とバリア層３３と印刷層３４とオーバーコート層３５とを、第１シート材２０側からこの順で含んでいる。
【００５３】
このうち、接着層３１は、第２シート材３０を第１シート材２０に貼り合わせるために設けられている。接着層３１のうち第１シート材２０の膨出部２１以外の部分と対面する領域の一部に、第２方向ｄ２に帯状に延びる剥離層３２が形成されている。接着層３１のうち、剥離層３２が形成された領域によって、未接合領域Ｂが提供される。ただし、未接合領域Ｂにおいて第１シート材２０と第２シート材３０とが接合されないようになっていれば、第１シート材２０の未接合領域Ｂに位置する部分に剥離層３２を必ずしも設ける必要はない。
【００５４】
このような接着層３１として、例えばポリウレタン系接着剤やポリエステル系接着剤を用いることができる。また、剥離層３２として、例えばアクリル系、シリコン系あるいはフッ素系の剥離コート剤を用いることができる。
【００５５】
バリア層３３は、収容された医薬品２の変質を防止するために、水蒸気の透過を防止する蒸気バリア性及び酸素ガス等のガスの透過を防止するガスバリア性を発揮する。加えて、バリア層３３は、収容された医薬品２に光が到達することを遮ることによって当該医薬品２の品質が低下することを抑制するための機能、すなわち遮光性も発揮する。このようなバリア層３３として、例えばＪＩＳ規格の１０００系や８０００系のアルミニウム箔を用いることができる。あるいは、バリア層３３として、例えば蒸気バリア性及びガスバリア性に優れたシリカ蒸着フィルムを用いてもよい。
【００５６】
このバリア層３３に、絵柄を含む印刷層３４が積層されている。ここでいう絵柄とは、第２シート材３０に記録または印刷され得る種々の態様の記録対象のことであり、特に限定されることなく、図、文字、模様、パターン、記号、柄、マーク等を広く含む。図示する例では、第１シート材２０と反対側を向くバリア層３３の面に、印刷層３４が積層されている。なお、印刷層３４は、商品の仕様に応じてバリア層３３に積層されるものであり、バリア層３３に印刷層３４が設けられなくてもよい。
【００５７】
さらに、印刷層３４上にオーバーコート層３５が積層されている。オーバーコート層３５は、印刷層３４を保護するために設けられている。印刷層３４がオーバーコート層３５を介して視認され得るよう、オーバーコート層３５は、透明性を有していることが好ましい。このようなオーバーコート層３５として、例えば、ニトロセルロース系樹脂、エポキシ系樹脂を用いることができる。
【００５８】
このような層構成からなる第１シート材２０及び第２シート材３０によれば、未接合領域Ｂを除く第１シート材２０と第２シート材３０とが重なった領域に、熱板を押し付けることにより、未接合領域Ｂを除いて第１シート材２０と第２シート材３０とを接合させることができる。
【００５９】
次に、以上のような構成からなる本実施の形態の作用について、図４乃至図６を参照して説明する。図４乃至図６は、図１に示すブリスター容器の作用を説明するための図である。なお、図４乃至図６を参照して以下に説明する、ブリスター容器１の収容空間１１に収容された医薬品２を取り出す手順は、一例にすぎず、他の手順で収容空間１１に収容された医薬品２を取り出してもよい。
【００６０】
先ず、図４に示すように、第２方向ｄ２に隣り合う２つの積層体１０を、切断補助手段５０を利用して互いに折り曲げて、当該切断補助手段５０に沿って互いに切り離す。続いて、図５に示すように、利用対象となる積層体１０の第１シート材２０を、折り目形成手段４０から折り曲げる。これにより、未接合領域Ｂに配置された一側浮出部７０及び他側浮出部９０が第１シート材２０から浮き上がる。とりわけ、本実施の形態では、一側カットライン６０は、第１方向ｄ１における一方の側に凸となるように湾曲しており、他側カットライン８０は、第１方向ｄ１における他方の側に凸となるように湾曲している。このため、第１シート材２０から浮き上がった一側浮出部７０は、第１方向ｄ１における一方の側に凸となるように突出し、第１シート材２０から浮き上がった他側浮出部９０は、第１方向ｄ１における他方の側に凸となるように突出する。これにより、一方の側に凸となるように突出した一側浮出部７０及び他方の側に凸となるように突出した他側浮出部９０を指で容易に摘まむことができる。
【００６１】
上述のように、他側浮出部９０を含み一方の側の膨出部２１を覆う部分３０ａと、一側浮出部７０を含み他方の側の膨出部２１を覆う部分３０ｂとは、一側カットライン６０の一端部６１と他側カットライン８０の一端部８１との間の領域、一側カットライン６０の他端部６２と縁部１２ｂとの間の領域、及び、他側カットライン８０の他端部８２と縁部１２ｂとの間の領域で、互いに接続されている。この状態から、図６に示すように、他方の側の膨出部２１を覆う部分３０ｂの一側浮出部７０を摘まみながら当該部分３０ｂを第１シート材２０から第１方向ｄ１における他方の側に捲り上げる。これにより、一側カットライン６０の一端部６１と他側カットライン８０の一端部８１との間の領域、及び、一側カットライン６０の他端部６２と縁部１２ｂとの間の領域において、他方の側の膨出部２１を覆う部分３０ｂが、一方の側の膨出部２１を覆う部分３０ａから切り離される。
【００６２】
さらに、一側浮出部７０を摘まみながら他方の側の膨出部２１を覆う部分３０ｂを第１シート材２０から他方の側に捲り上げていくと、他方の側の収容空間１１に収容された医薬品２が露出する。これにより、他方の側の膨出部２１と第２シート材３０との間の収容空間１１に収容された医薬品２を取り出すことができる。さらに、一側浮出部７０を摘まみながら他方の側の膨出部２１を覆う部分３０ｂを第１シート材２０から他方の側に捲り上げると、他側カットライン８０の他端部８２と縁部１２ｂとの間の領域において、他方の側の膨出部２１を覆う部分３０ｂが、一方の側の膨出部２１を覆う部分３０ａから切り離される。これにより、他方の側の膨出部２１を覆う部分３０ｂを、一方の側の膨出部２１を覆う部分３０ａから分離することができる。
【００６３】
次に、一方の側の膨出部２１を覆う部分３０ａの他側浮出部９０を摘まみながら当該部分３０ａを第１シート材２０から第１方向ｄ１における一方の側に捲り上げて、当該部分３０ａに覆われた一方の側の膨出部２１に収容された医薬品２を露出させる。これにより、一方の側の膨出部２１と第２シート材３０との間の収容空間１１に収容された医薬品２を取り出すことができる。
【００６４】
以上のように、本実施の形態によれば、折り目形成手段４０に沿って第１シート材２０を折り曲げると、一側浮出部７０及び他側浮出部９０が第１シート材２０から浮き上がるようになっている。このような形態によれば、収容空間１１に収容された医薬品２を取り出すためには、積層体１０の第１シート材２０を折り目形成手段４０から折り曲げた後に、折り曲げにより浮き上がった第２シート材３０の一側浮出部７０を摘まみながら当該第２シート材３０を第１シート材２０から捲り上げる必要がある。このため、小児が収容空間１１に収容された医薬品２を取り出そうとしても、容易に取り出すことができない。この結果、小児が製品を誤飲することを防止する機能を持つピール開封タイプのブリスター容器１が実現される。さらに、このような開封動作は、細かな指先の動きを必要とせず、指先に力が入らない方や手先の不自由な方でも、腕乃至手の全体と口を使用することにより行うことができる。したがって、本実施の形態のブリスター容器１によれば、指先に力が入らない方や手先の不自由な方でも、専用のプレス器具を使用することなくブリスター容器に収容された製品を取り出すことができる。
【００６５】
加えて、本実施の形態によれば、特許文献１に記載のＰＴＰタイプの容器のように、第１シート材（容器シート材）の膨出部を覆う第２シート材（蓋材）の部分に、開封防止のための保護フィルムをさらに積層させる必要がない。このため、本実施の形態のブリスター容器１は、材料コスト及び製造コストを比較的抑えることができ、市場において競争力のある価格で提供することができる。このようにして、本実施の形態によれば、小児が製品を誤飲することを防止する機能を持ち実用に耐え得るピール開封タイプのブリスター容器が実現される。
【００６６】
また、本実施の形態によれば、一側カットライン６０は、第１方向ｄ１における一方の側に凸となるように湾曲しており、他側カットライン８０は、第１方向ｄ１における他方の側に凸となるように湾曲している。このような形態によれば、折り目形成手段４０に沿って第１シート材２０を折り曲げた際に、第１シート材２０から浮き上がった一側浮出部７０が第１方向ｄ１における一方の側に凸となるように突出し、第１シート材２０から浮き上がった他側浮出部９０が第１方向ｄ１における他方の側に凸となるように突出する。これにより、一方の側に凸となるように突出した一側浮出部７０及び他方の側に凸となるように突出した他側浮出部９０を指で容易に摘まむことができる。このため、ブリスター容器１を開封する作業の作業性を向上させることができる。
【００６７】
また、本実施の形態によれば、一側カットライン６０と他側カットライン８０とは、第２方向ｄ２にずれて配置されている。このような形態によれば、第１シート材２０から浮き上がった第２シート材３０の一側浮出部７０を摘まんで、当該第２シート材３０を第１シート材２０から第１方向ｄ１における一方の側に捲り上げて剥離していくときに、一側浮出部７０よりも一方の側に位置する他側浮出部９０によって、当該剥離の進行を阻害されることを効果的に抑制することができる。このため、第２シート材３０の一側浮出部７０を摘まみながら当該第２シート材３０を第１シート材２０から捲り上げて、一方の側の収容空間１１に収容された医薬品２を取り出す開封動作をスムーズに行うことができる。
【００６８】
また、本実施の形態によれば、一側カットライン６０の一端部６１と、他側カットライン８０の一端部８１とは、互いから離間し、折り目形成手段４０を挟んで対面している。このような形態によれば、一側カットライン６０の一端部６１付近に規定される一側浮出部７０の部分、及び、他側カットライン８０の一端部８１付近に規定される他側浮出部９０の部分が、その他の第１シート材２０の部分に繋げられた状態となる。このため、積層体１０の第１シート材２０を折り目形成手段４０から折り曲げた後でなければ、第２シート材３０の一側浮出部７０及び他側浮出部９０が第１シート材２０から浮き上がり難くなる。すなわち、収容空間１１に収容された医薬品２を取り出すためには、積層体１０の第１シート材２０を折り目形成手段４０から確実に折り曲げた後でなければ、折り曲げにより浮き上がった第２シート材３０の一側浮出部７０または他側浮出部９０を利用して他方の側または一方の側の収容空間１１に収容された医薬品２を取り出すことが益々でき難い。このため、小児が収容空間１１に収容された医薬品２を取り出そうとしても、益々容易に取り出すことができなくなる。
【００６９】
また、本実施の形態によれば、一側カットライン６０の他端部６２は、第２方向ｄ２に対向して位置する積層体１０の一対の縁部１２ｂの一方との間に間隙を形成し、他側カットライン８０の他端部８２は、前記一対の縁部１２ｂの他方との間に間隙を形成している。このような形態によれば、一側カットライン６０の他端部６２付近に規定される一側浮出部７０の部分、及び、他側カットライン８０の他端部８２付近に規定される他側浮出部９０の部分が、その他の第１シート材２０の部分に繋げられた状態となる。このため、積層体１０の第１シート材２０を折り目形成手段４０から折り曲げた後でなければ、第２シート材３０の一側浮出部７０及び他側浮出部９０が第１シート材２０から浮き上がり難くなる。すなわち、収容空間１１に収容された医薬品２を取り出すためには、積層体１０の第１シート材２０を折り目形成手段４０から確実に折り曲げた後でなければ、折り曲げにより浮き上がった第２シート材３０の一側浮出部７０または他側浮出部９０を利用して他方の側または一方の側の収容空間１１に収容された医薬品２を取り出すことが益々でき難い。このため、小児が収容空間１１に収容された医薬品２を取り出そうとしても、益々容易に取り出すことができなくなる。
【００７０】
また、本実施の形態によれば、折り目形成手段４０は、積層体１０の外縁部１２上の２つの位置の間を延びている、このような形態によれば、小児が製品を誤飲することを防止する機能を大きく低減させることなく、各積層体１０の第１シート材２０を折り目形成手段４０に沿って容易に折り曲げることができる。
【００７１】
また、本実施の形態によれば、第２方向ｄ２に複数の積層体１０が配置され、第２方向ｄ２に隣り合う２つの積層体１０は、切断補助手段５０を介し、当該切断補助手段５０に沿って切り離し可能となるように接続されている。このような形態によれば、複数の積層体１０を互いに連接することができるため、複数の積層体１０をまとめて持ち運ぶことができる。
【００７２】
また、本実施の形態によれば、第２方向ｄ２に隣り合う２つの積層体１０のうち、一方の側に位置する積層体１０の折り目形成手段４０の他端部４２は、他方の側に位置する積層体１０の折り目形成手段４０の一端部４１に繋がっている。この場合、隣り合う２つの積層体１０の折り目形成手段４０を繋げて形成することができるため、折り目形成手段４０を効率よく形成することができる。
【００７３】
≪第１の実施の形態の変形例≫
なお、上述した第１の実施の形態に対して様々な変更を加えることが可能である。以下、図面を参照しながら、変形の一例について説明する。以下の説明および以下の説明で用いる図面では、上述した第１の実施の形態と同様に構成され得る部分について、上述の実施の形態における対応する部分に対して用いた符号と同一の符号を用いることとし、重複する説明を省略する。
【００７４】
上述した第１の実施の形態において、図７に示すように、ブリスター容器１は、折り目形成手段４０の一端部４１を含む積層体１０の縁部１２ｂに、切断補助手段５０を介して接続された折れ防止片１５をさらに備えていてもよい。図７に、ブリスター容器１が、積層体１０に接続された折れ防止片１５をさらに備えた例を示す。図７に示す例では、一対の折れ防止片１５が、第２方向ｄ２において最も外方に位置する対応する積層体１０に接続されている。各折れ防止片１５は、第１方向ｄ１に延びるように帯状に形成され、積層体１０の第２方向ｄ２外方に位置する縁部１２ｂの全域を覆っている。したがって、折れ防止片１５の両端間に、積層体１０に形成された曲げ線部４２の一方の端部４１が位置している。
【００７５】
図７に示す折れ防止片１５は、積層体１０と同様に、第１シート材２０と、第１シート材２０と接合された第２シート材３０と、からなる層構成を採用している。なお、折れ防止片１５には、折り目形成手段４０は形成されていない。
【００７６】
上述したように、折れ防止片１５は、積層体１０の縁部１２ｂに切断補助手段５０を介して接続されている。この切断補助手段５０は、積層体１０と折れ防止片１５の境界となる位置に形成されており、第１方向ｄ１に沿って直線状に延びている。図示する例では、切断補助手段５０は、第１シート材２０及び第２シート材３０を貫通するようにして積層体１０に断続的に形成された切れ目からなるミシン目で構成されている。切断補助手段５０を利用して折れ防止片１５を折り曲げることにより、当該切断補助手段５０に沿って折れ防止片１５の第１シート材２０及び第２シート材３０を積層体１０から切り離すことができる。
【００７７】
次に、図７に示すブリスター容器１の作用について図８を参照して説明する。図８は、積層体１０から折れ防止片１５を切り離す工程を示す上面図である。
【００７８】
図８に示すように、隣り合う２つの積層体１０を切断補助手段５０に沿って互いに切り離す工程に先立って、折れ防止片１５を積層体１０から切り離す工程を行う。具体的には、積層体１０の縁部１２ｂに接続された折れ防止片１５を、切断補助手段５０を利用して折り曲げて、あるいは、折り曲げる向きを交互に変更しながら繰返し折り曲げて、最終的に折れ防止片１５を当該切断補助手段５０に沿って積層体１０から切り離す。以後の工程については、図４乃至図６を参照して説明した上述した第１の実施の形態にて行われた工程と略同様なため、ここではこれ以上詳細な説明を省略する。
【００７９】
図７に示す変形例によれば、折り目形成手段４０の一端部４１を含む積層体１０の縁部１２ｂに、切断補助手段５０を介して接続された折れ防止片１５を、さらに備えている。このような形態によれば、折れ防止片１５を、切断補助手段５０を利用して折り曲げて、当該切断補助手段５０に沿って積層体１０から切り離した後でなければ、折り目形成手段４０に沿って第１シート材２０を折り曲げることができない。このため、収容空間１１に収容された医薬品２をさらに取り出し難くすることができ、小児が製品を誤飲することを防止する機能を高めることができる。
【００８０】
≪第２の実施の形態≫
次に、図９乃至図１５を参照して、本発明の第２の実施の形態及びその変形例について説明する。図９は、本発明の第２の実施の形態によるブリスター容器１を示す上面図である。図１０は、図９に示すブリスター容器１の積層体１０を拡大して示す上面図である。図９乃至図１５を参照して説明する第２の実施の形態は、第２シート材３０のうちの折り目形成手段４０に対して第１方向ｄ１における他方の側となる部分及び一方の側となる部分に、それぞれ、第１ガイドカットライン６５及び第２ガイドカットライン８５がさらに形成されている点で異なるが、その他の構成は、第１の実施形態およびその変形例と同様に構成することができる。第２の実施の形態に関する以下の説明および以下の説明で用いる図面では、上述した第１の実施の形態およびその変形例と同様に構成され得る部分について、上述の第１の実施の形態およびその変形例における対応する部分に対して用いた符号と同一の符号を用いることとし、重複する説明を省略する。
【００８１】
図９及び図１０に示すように、本実施の形態のブリスター容器１は、膨出部２１を形成された第１シート材（容器シート材）２０と、第１シート材２０と接合された第２シート材（蓋材）３０と、を含む複数の積層体１０を備えている。このうち、第１シート材２０の構成については、上述した第１の実施の形態と略同様なためここでは詳細な説明を省略する。
【００８２】
図９及び図１０に示すように、折り目形成手段４０が形成された部分を含む第１シート材２０の部分と第２シート材３０とが対面している中間領域Ａは、第１シート材２０と第２シート材３０とが接合されていない未接合領域Ｂと、当該未接合領域Ｂに囲まれ、第１シート材２０と第２シート材３０とが接合されたポイント接合領域Ｃからなる。ポイント接合領域Ｃは、第２方向ｄ２において互いにずれた一側カットライン６０と他側カットライン８０との間となる位置に設けられている。本実施の形態では、ポイント接合領域Ｃは、円形乃至楕円形の形状をもち、折り目形成手段４０に部分的に重なっている。円形乃至楕円形のポイント接合領域Ｃの中心は、折り目形成手段４０上に位置している。
【００８３】
次に、第２シート材３０に設けられた第１ガイドカットライン６５及び第２ガイドカットライン８５について説明する。図９及び図１０に示すように、第１ガイドカットライン６５は、第２シート材３０のうちの折り目形成手段４０に対して第１方向ｄ１における他方の側となる部分に形成されている。第１ガイドカットライン６５は、一側浮出部７０を摘まみながら当該第２シート材３０を第１シート材２０から第１方向ｄ１における他方の側に捲り上げていく際に、第１シート材２０から第２シート材３０が剥離される経路を案内するために設けられている。
【００８４】
図１０に示すように、第１ガイドカットライン６５の一端部６６と、一側カットライン６０の一端部６１とは、互いから離間している。言い換えると、第１ガイドカットライン６５の一端部６６と、一側カットライン６０の一端部６１とは、繋がっていない。また、第１ガイドカットライン６５の一端部６６と、一側カットライン６０の一端部６１とは、折り目形成手段４０を挟んで第１方向ｄ１に対面している。すなわち、第１ガイドカットライン６５の一端部６６は、一側カットライン６０の一端部６１の近傍で、当該一端部６１から第１方向ｄ１に沿って離間している。
【００８５】
そして、第１ガイドカットライン６５は、当該一端部６６から積層体１０の第２方向ｄ２に対向する他方の縁部１２ｂに向かって延びている。図１０に示すように、第１ガイドカットライン６５は、第２方向ｄ２に沿って一側カットライン６０から離間する側に向かうにつれて、折り目形成手段４０との第１方向ｄ１に沿った距離が大きくなるように延びている。すなわち、第１ガイドカットライン６５上の各位置ｐと折り目形成手段４０との第１方向ｄ１に沿った距離が、当該第１ガイドカットライン６５上の位置ｐが第２方向ｄ２に沿って一側カットライン６０から離間するほど、大きくなっていく。ただし、第１ガイドカットライン６５の全ての区間において、折り目形成手段４０との第１方向ｄ１に沿った距離が常に大きくなっていく必要性はなく、第１ガイドカットライン６５上の一部の区間において、折り目形成手段４０との第１方向ｄ１に沿った距離が変化しなくてもよい。
【００８６】
一方、第１ガイドカットライン６５の他端部６７は、未接合領域Ｂよりも第１方向ｄ１における他方の側となる位置に位置している。また、第１ガイドカットライン６５の他端部６７は、積層体１０の第２方向ｄ２に対向する一対の縁部１２ｂの他方上に位置している。
【００８７】
同様に、第２ガイドカットライン８５は、第２シート材３０のうちの折り目形成手段４０に対して第１方向ｄ１における一方の側となる部分に形成されている。第２ガイドカットライン８５は、他側浮出部９０を摘まみながら当該第２シート材３０を第１シート材２０から第１方向ｄ１における一方の側に捲り上げていく際に、第１シート材２０から第２シート材３０が剥離される経路を案内するために設けられている。
【００８８】
図９及び図１０に示すように、第２ガイドカットライン８５の一端部８６と、他側カットライン８０の一端部８１とは、互いから離間している。言い換えると、第２ガイドカットライン８５の一端部８６と、他側カットライン８０の一端部８１とは、繋がっていない。また、第２ガイドカットライン８５の一端部８６と、他側カットライン８０の一端部８１とは、折り目形成手段４０を挟んで第１方向ｄ１に対面している。すなわち、第２ガイドカットライン８５の一端部８６は、他側カットライン８０の一端部８１の近傍で、当該一端部８１から第１方向ｄ１に沿って離間している。
【００８９】
そして、第２ガイドカットライン８５は、当該一端部８６から積層体１０の第２方向ｄ２に対向する一対の縁部１２ｂの一方に向かって延びている。図１０に示すように、第２ガイドカットライン８５は、第２方向ｄ２に沿って他側カットライン８０から離間する側に向かうにつれて、折り目形成手段４０との距離が大きくなるように延びている。すなわち、第２ガイドカットライン８５上の各位置ｑと折り目形成手段４０との距離が、当該第２ガイドカットライン８５上の位置ｑが第２方向ｄ２に沿って他側カットライン８０から離間するほど、大きくなっていく。ただし、第２ガイドカットライン８５の全ての区間において、折り目形成手段４０との第１方向ｄ１に沿った距離が常に大きくなっていく必要性はなく、第２ガイドカットライン８５上の一部の区間において、折り目形成手段４０との第１方向ｄ１に沿った距離が変化しなくてもよい。
【００９０】
一方、第２ガイドカットライン８５の他端部８７は、未接合領域Ｂよりも第１方向ｄ１における一方の側となる位置に位置している。また、第２ガイドカットライン８５の他端部８７は、積層体１０の第２方向ｄ２に対向する一対の縁部１２ｂの一方上に位置している。
【００９１】
次に、以上のような構成からなる本実施の形態の作用について、図１１乃至図１３を参照して説明する。図１１乃至図１３は、図９に示すブリスター容器の作用を説明するための図である。なお、図１１乃至図１３を参照して以下に説明する、ブリスター容器１の収容空間１１に収容された医薬品２を取り出す手順は、一例にすぎず、他の手順で収容空間１１に収容された医薬品２を取り出してもよい。
【００９２】
先ず、図１１に示すように、第２方向ｄ２に隣り合う２つの積層体１０を、切断補助手段５０を利用して互いに折り曲げて、当該切断補助手段５０に沿って互いに切り離す。続いて、図１２に示すように、利用対象となる積層体１０の第１シート材２０を、折り目形成手段４０から折り曲げる。これにより、未接合領域Ｂに配置された一側浮出部７０及び他側浮出部９０が第１シート材２０から浮き上がる。このとき、第２方向ｄ２において一側カットライン６０と他側カットライン８０との間となる位置に、ポイント接合領域Ｃが設けられているため、一側浮出部７０及び他側浮出部９０と共に、第２方向ｄ２において一側カットライン６０と他側カットライン８０との間となる第２シート材３０の部分が浮き上がることを防止することができる。
【００９３】
その後、図１３に示すように、他方の側の膨出部２１を覆う部分３０ｂの一側浮出部７０を摘まみながら当該部分３０ｂを第１シート材２０から第１方向ｄ１における他方の側に捲り上げる。これにより、一側カットライン６０の一端部６１と他側カットライン８０の一端部８１との間の領域、及び、一側カットライン６０の他端部６２と縁部１２ｂとの間の領域において、他方の側の膨出部２１を覆う部分３０ｂが、一方の側の膨出部２１を覆う部分３０ａから切り離される。
【００９４】
さらに、他方の側の膨出部２１を覆う部分３０ｂの一側浮出部７０を摘まみながら当該部分３０ｂを第１シート材２０から第１方向ｄ１における他方の側に捲り上げて、第１シート材２０から他方の側の膨出部２１を覆う部分３０ｂを剥離していく。このとき、第１シート材２０から他方の側の膨出部２１を覆う部分３０ｂを剥離する経路は、折り目形成手段４０に対して他方の側となる位置に形成された第１ガイドカットライン６５に沿って案内されていく。第１ガイドカットライン６５に沿って第１シート材２０から第２シート材３０を剥離していくと、他方の側の収容空間１１に収容された医薬品２が露出する。これにより、他方の側の膨出部２１と第２シート材３０との間の収容空間１１に収容された医薬品２を取り出すことができる。
【００９５】
次に、一方の側の膨出部２１を覆う部分３０ａの他側浮出部９０を摘まみながら当該部分３０ａを第１シート材２０から第１方向ｄ１における一方の側に捲り上げて、第１シート材２０から一方の側の膨出部２１を覆う部分３０ａを剥離していく。このとき、第１シート材２０から一方の側の膨出部２１を覆う部分３０ａを剥離する経路は、折り目形成手段４０に対して一方の側となる位置に形成された第２ガイドカットライン８５に沿って案内されていく。第２ガイドカットライン８５に沿って第１シート材２０から一方の側の膨出部２１を覆う部分３０ａを剥離していくと、一方の側の収容空間１１に収容された医薬品２が露出する。これにより、一方の側の膨出部２１と第２シート材３０との間の収容空間１１に収容された医薬品２を取り出すことができる。
【００９６】
以上のように、本実施の形態によれば、折り目形成手段４０に沿って第１シート材２０を折り曲げると、一側浮出部７０及び他側浮出部９０が第１シート材２０から浮き上がるようになっている。このような形態によれば、収容空間１１に収容された医薬品２を取り出すためには、積層体１０の第１シート材２０を折り目形成手段４０から折り曲げた後に、折り曲げにより浮き上がった第２シート材３０の一側浮出部７０を摘まみながら当該第２シート材３０を第１シート材２０から捲り上げる必要がある。このため、小児が収容空間１１に収容された医薬品２を取り出そうとしても、容易に取り出すことができない。この結果、小児が製品を誤飲することを防止する機能を持つピール開封タイプのブリスター容器１が実現される。さらに、このような開封動作は、細かな指先の動きを必要とせず、指先に力が入らない方や手先の不自由な方でも、腕乃至手の全体と口を使用することにより行うことができる。したがって、本実施の形態のブリスター容器１によれば、指先に力が入らない方や手先の不自由な方でも、専用のプレス器具を使用することなくブリスター容器に収容された製品を取り出すことができる。
【００９７】
加えて、本実施の形態によれば、特許文献１に記載のＰＴＰタイプの容器のように、第１シート材（容器シート材）の膨出部を覆う第２シート材（蓋材）の部分に、開封防止のための保護フィルムをさらに積層させる必要がない。このため、本実施の形態のブリスター容器１は、材料コスト及び製造コストを比較的抑えることができ、市場において競争力のある価格で提供することができる。このようにして、本実施の形態によれば、小児が製品を誤飲することを防止する機能を持ち実用に耐え得るピール開封タイプのブリスター容器が実現される。
【００９８】
また、本実施の形態によれば、第２シート材３０のうちの折り目形成手段４０に対して第１方向ｄ１における他方の側となる部分に、第１ガイドカットライン６５が形成されている。このような形態によれば、第２シート材３０の一側浮出部７０を摘まんで第１シート材２０から第２シート材３０を剥離する経路を、折り目形成手段４０に対して他方の側となる位置に形成された第１ガイドカットライン６５に沿ってスムーズに案内することができる。
【００９９】
さらに、本実施の形態によれば、第１ガイドカットライン６５の一端部６６と、一側カットライン６０の一端部６１とは、互いから離間し、且つ、折り目形成手段４０を挟んで対面している。このような形態によれば、一側カットライン６０の一端部６１付近に規定される一側浮出部７０の部分が、その他の第１シート材２０の部分に繋げられた状態となる。このため、積層体１０の第１シート材２０を折り目形成手段４０から折り曲げた後でなければ、第２シート材３０の一側浮出部７０が第１シート材２０から浮き上がり難くなる。すなわち、収容空間１１に収容された医薬品２を取り出すためには、積層体１０の第１シート材２０を折り目形成手段４０から確実に折り曲げた後でなければ、折り曲げにより浮き上がった第２シート材３０の一側浮出部７０を利用して他方の側の収容空間１１に収容された医薬品２を取り出すことが益々でき難い。このため、小児が収容空間１１に収容された医薬品２を取り出そうとしても、益々容易に取り出すことができなくなる。
【０１００】
さらに、本実施の形態によれば、第１ガイドカットライン６５の他端部６７は、未接合領域Ｂよりも第１方向ｄ１における他方の側となる位置に位置している。このような形態によれば、第２シート材３０の一側浮出部７０を摘まんで当該第２シート材３０を第１シート材２０から捲り上げる方向に沿って、第１シート材２０から第２シート材３０を剥離する経路を案内することができるため、ブリスター容器１を開封する開封動作をスムーズに行うことができる。
【０１０１】
さらに、本実施の形態によれば、第１ガイドカットライン６５上の各位置と折り目形成手段４０との距離が、当該第１ガイドカットライン６５上の位置が第２方向ｄ２に沿って一側カットライン６０から離間するほど、大きくなっている。このような形態によれば、第２シート材３０の一側浮出部７０を摘まんで当該第２シート材３０を第１シート材２０から捲り上げる方向に沿って、第１シート材２０から第２シート材３０を剥離する経路を滑らかに案内することができるため、ブリスター容器１を開封する開封動作をよりスムーズに行うことができる。
【０１０２】
また、本実施の形態によれば、第２シート材３０のうちの折り目形成手段４０に対して第１方向ｄ１における一方の側となる部分に、第２ガイドカットライン８５が形成されている。このような形態によれば、第２シート材３０の他側浮出部９０を摘まんで第１シート材２０から第２シート材３０を剥離する経路を、折り目形成手段４０に対して一方の側となる位置に形成された第２ガイドカットライン８５に沿ってスムーズに案内することができる。
【０１０３】
さらに、本実施の形態によれば、第２ガイドカットライン８５の一端部８６と、他側カットライン８０の一端部８１とは、互いから離間し、且つ、折り目形成手段４０を挟んで対面している。このような形態によれば、他側カットライン８０の一端部８１付近に規定される他側浮出部９０の部分が、その他の第１シート材２０の部分に繋げられた状態となる。このため、積層体１０の第１シート材２０を折り目形成手段４０から折り曲げた後でなければ、第２シート材３０の他側浮出部９０が第１シート材２０から浮き上がり難くなる。すなわち、収容空間１１に収容された医薬品２を取り出すためには、積層体１０の第１シート材２０を折り目形成手段４０から確実に折り曲げた後でなければ、折り曲げにより浮き上がった第２シート材３０の他側浮出部９０を利用して他方の側の収容空間１１に収容された医薬品２を取り出すことが益々でき難い。このため、小児が収容空間１１に収容された医薬品２を取り出そうとしても、益々容易に取り出すことができなくなる。
【０１０４】
さらに、本実施の形態によれば、第２ガイドカットライン８５の他端部８７は、未接合領域Ｂよりも第１方向ｄ１における一方の側となる位置に位置している。このような形態によれば、第２シート材３０の他側浮出部９０を摘まんで当該第２シート材３０を第１シート材２０から捲り上げる方向に沿って、第１シート材２０から第２シート材３０を剥離する経路を案内することができるため、ブリスター容器１を開封する開封動作をスムーズに行うことができる。
【０１０５】
さらに、本実施の形態によれば、第２ガイドカットライン８５上の任意の位置ｑと折り目形成手段４０との距離が、当該第２ガイドカットライン８５上の位置ｑが第２方向ｄ２に沿って他側カットライン８０から離間するほど、大きくなっている。このような形態によれば、第２シート材３０の他側浮出部９０を摘まんで当該第２シート材３０を第１シート材２０から捲り上げる方向に沿って、第１シート材２０から第２シート材３０を剥離する経路を滑らかに案内することができるため、ブリスター容器１を開封する開封動作をよりスムーズに行うことができる。
【０１０６】
また、本実施の形態によれば、第２方向ｄ２において一側カットライン６０と他側カットライン８０との間となる位置に、未接合領域Ｂに囲まれたポイント接合領域Ｃが設けられている。このような形態によれば、積層体１０の第１シート材２０を折り目形成手段４０から折り曲げた際に、一側浮出部７０及び他側浮出部９０と共に、第２方向ｄ２において一側カットライン６０と他側カットライン８０との間となる第２シート材３０の部分が浮き上がることを防止することができる。
【０１０７】
≪第２の実施の形態の変形例≫
なお、上述した第２の実施の形態に対して様々な変更を加えることが可能である。以下、図面を参照しながら、変形の一例について説明する。以下の説明および以下の説明で用いる図面では、上述した第２の実施の形態と同様に構成され得る部分について、上述の実施の形態における対応する部分に対して用いた符号と同一の符号を用いることとし、重複する説明を省略する。
【０１０８】
上述した第２の実施の形態において、図１０に示すように、一側カットライン６０及び他側カットライン８０は、連続的に形成された切れ目からなる例を示したが、一側カットライン６０及び他側カットライン８０の形態は、このような例に限定されない。図１４に、一側カットライン６０及び他側カットライン８０の他の形態を示す。図１４に示す例では、一側カットライン６０及び他側カットライン８０は、断続的に形成された切れ目からなる。具体的には、一側カットライン６０は、互いに離間して配置された一側第１部分６０ａ及び一側第２部分６０ｂを含んでいる。一側第１部分６０ａ及び一側第２部分６０ｂは、曲線状の経路に沿って並べられている。
【０１０９】
図１４に示すように、一側第１部分６０ａの一端部６０１ａと、一側第２部分６０ｂの一端部６０１ｂとは、互いから離間し、且つ、互いに第２方向ｄ２に対面している。この一側第１部分６０ａの一端部６０１ａと一側第２部分６０ｂの一端部６０１ｂとの間に、一側継ぎ目７５が規定されている。一側継ぎ目７５は、一側浮出部７０を当該一側浮出部７０の周りに位置する第２シート材３０の部分に繋ぐものである。図１４に示す例では、一側継ぎ目７５は、第１方向ｄ１における一方の側に最も突出した一側浮出部７０の部分に隣接している。
【０１１０】
同様に、他側カットライン８０は、互いに離間して配置された他側第１部分８０ａ及び他側第２部分８０ｂを含んでいる。他側第１部分８０ａ及び他側第２部分８０ｂは、曲線状の経路に沿って並べられている。図１４に示すように、他側第１部分８０ａの一端部８０１ａと、他側第２部分８０ｂの一端部８０１ｂとは、互いから離間し、且つ、互いに対面している。この他側第１部分８０ａの一端部８０１ａと他側第２部分８０ｂの一端部８０１ｂとの間に、他側継ぎ目９５が設けられている。他側継ぎ目９５は、他側浮出部９０を当該他側浮出部９０の周りに位置する第２シート材３０の部分に繋ぐものである。図１４に示す例では、他側継ぎ目９５は、第１方向ｄ１における他方の側に最も突出した他側浮出部９０の部分に隣接している。
【０１１１】
図１５に、図１４のＸＶ−ＸＶ線に沿ったブリスター容器１の断面を示す。図１５に示すように、第１シート材２０の中間領域Ａに位置する部分のうち、折り目形成手段４０に対して第１方向における一方の側及び他方の側となる部分に、それぞれ、一側逃げ膨出部２２及び他側逃げ膨出部２３が形成されている。一側逃げ膨出部２２は、少なくとも第２シート材３０の一側継ぎ目７５に対面する部分に設けられ、当該一側継ぎ目７５から離間するように凹んでいる。他側逃げ膨出部２３は、少なくとも第２シート材３０の他側継ぎ目９５に対面する部分に設けられ、当該他側継ぎ目９５から離間するように凹んでいる。図１４に示す例では、一側逃げ膨出部２２及び他側逃げ膨出部２３は、平面視において膨出部２１よりも面積の小さい円形乃至楕円形の形状を有している。
【０１１２】
また、図１４に示すように、折り目形成手段４０が形成された部分を含む第１シート材２０の部分と第２シート材３０とが対面している中間領域Ａは、一側逃げ膨出部２２及び他側逃げ膨出部２３を含む第１シート材２０の部分と、第２シート材３０とが対面している領域に形成された未接合領域Ｂを含んでいる。図示する例では、未接合領域Ｂは、第１方向ｄ１において２つの膨出部２１の間となる位置を延びる帯状の領域として形成されている。さらに、中間領域Ａは、第２方向ｄ２において一側カットライン６０と他側カットライン８０との間となる位置に、未接合領域Ｂに囲まれたポイント接合領域Ｃを含んでいる。図１４に示す例では、ポイント接合領域Ｃは、矩形の形状をもち、折り目形成手段４０に部分的に重なっている。また、図１４に示す例では、中間領域Ａは、未接合領域Ｂとポイント接合領域Ｃとのみからなる。
【０１１３】
図１４に示す変形例によれば、他方の側に位置する収容空間１１に収容された医薬品２を取り出すためには、折り目形成手段４０に沿って積層体１０を折り曲げる工程に先立って、第２シート材３０の一側浮出部７０を第１シート材２０の一側逃げ膨出部２２に押し込んで、一側浮出部７０を一側継ぎ目７５から切り離す必要がある。同様に、一方の側に位置する収容空間１１に収容された医薬品２を取り出すためには、折り目形成手段４０に沿って積層体１０を折り曲げる工程に先立って、第２シート材３０の他側浮出部９０を第１シート材２０の他側逃げ膨出部２３に押し込んで、他側浮出部９０を他側継ぎ目９５から切り離す必要がある。このため、小児が収容空間１１に収容された医薬品２を取り出そうとしても、益々容易に取り出すことができない。この結果、小児が製品を誤飲することを防止する機能を高めることができる。
【０１１４】
なお、以上において上述した実施の形態に対するいくつかの変形例を説明してきたが、当然に、複数の変形例を適宜組み合わせて適用することも可能である。
【符号の説明】
【０１１５】
１    ブリスター容器
２    医薬品
１０  積層体
１１  収容空間
１２  外縁部
１２ａ、１２ｂ  縁部
１５  折れ防止片
２０  第１シート材
２１  膨出部
３０  第２シート材
４０  折り目形成手段
４１、４２  一端部、他端部
５０  切断補助手段
６０  一側カットライン
６０ａ、６０ｂ  一側第１部分、一側第２部分
６１、６０１ａ、６０１ｂ  一端部
６２  他端部
６５  第１ガイドカットライン
６６、６７  一端部、他端部
７０  一側浮出部
７５  一側継ぎ目
８０  他側カットライン
８０ａ、８０ｂ  他側第１部分、他側第２部分
８１、８０１ａ、８０１ｂ  一端部
８２  他端部
８５  第２ガイドカットライン
８６、８７  一端部、他端部
９０  他側浮出部
９５  他側継ぎ目
Ａ  中間領域
Ｂ  未接合領域
Ｃ  ポイント接合領域
ｄ１  第１方向
ｄ２  第２方向
【図１】
2015134619.tif 000003
【図２】
2015134619.tif 000004
【図３】
2015134619.tif 000005
【図４】
2015134619.tif 000006
【図５】
2015134619.tif 000007
【図６】
2015134619.tif 000008
【図７】
2015134619.tif 000009
【図８】
2015134619.tif 000010
【図９】
2015134619.tif 000011
【図１０】
2015134619.tif 000012
【図１１】
2015134619.tif 000013
【図１２】
2015134619.tif 000014
【図１３】
2015134619.tif 000015
【図１４】
2015134619.tif 000016
【図１５】
2015134619.tif 000017